(57)【特許請求の範囲】
【請求項１】
ボードに固定された可動側ハウジングを有する可動側コネクタと、
取付部材に設けられた受け側コネクタと
を備え、
前記可動側コネクタは、可動側フェルールを収容した可動側ハウジングを有し、
前記受け側コネクタは、
受け側フェルールを収容し、前記可動側コネクタの前記可動側ハウジングと嵌合して着脱方向に移動可能な内側ハウジングと、
前記内側ハウジングを収容する外側ハウジングと、
前記取付部材と前記外側ハウジングとの間に配置され、前記外側ハウジングに固定された弾性部材と
を有し、
前記外側ハウジングの外周面と前記取付部材との間に隙間を確保した状態で、前記外側ハウジングが前記弾性部材を介して前記取付部材に前記着脱方向に移動しない態様で保持されていることを特徴とする光コネクタ。
【請求項２】
請求項１に記載の光コネクタであって、
前記弾性部材は、前記外側ハウジングから見て鉛直方向の側に配置されていることを特徴とする光コネクタ。
【請求項３】
請求項２に記載の光コネクタであって、
前記外側ハウジングから見て前記鉛直方向と交差する方向の側に、別の弾性部材が前記外側ハウジングと前記取付部材との間に配置されている
ことを特徴とする光コネクタ。
【請求項４】
請求項１〜３のいずれかに記載の光コネクタであって、
前記着脱方向に垂直な方向から前記外側ハウジングを挟むように、一対の前記弾性部材が前記外側ハウジングと前記取付部材との間に配置されていることを特徴とする光コネクタ。
【請求項５】
請求項１〜４のいずれかに記載の光コネクタであって、
前記着脱方向を軸とする回転方向の移動に対して弾性を有するように、前記外側ハウジングが、前記弾性部材を介して前記取付部材に保持されていることを特徴とする光コネクタ。
【請求項６】
請求項５に記載の光コネクタであって、
前記弾性部材は、幅のある板バネで構成されており、
前記板バネの一端が前記外側ハウジングに接触しており、前記板バネの他端が前記取付部材に接触していることを特徴とする光コネクタ。
【請求項７】
請求項６に記載の光コネクタであって、
前記板バネの前記一端及び前記他端の一方の端部は固定端であり、逆側の端部は自由端となっていることを特徴とする光コネクタ。
【請求項８】
請求項１〜７のいずれかに記載の光コネクタであって、
前記取付部材は、前記外側ハウジングを囲繞する角筒状の部材であり、角筒状の前記取付部材の一側面において、前記着脱方向に平行な基板面を有する前記基板に固定されていることを特徴とする光コネクタ。
【請求項９】
請求項８に記載の光コネクタであって、
前記取付部材は、前記基板の位置決め穴に嵌合させる位置決めピンを有することを特徴とする光コネクタ。
【請求項１０】
請求項９に記載の光コネクタであって、
前記位置決めピンは、前記取付部材を前記基板にネジ留めするためのネジ留め部を有することを特徴とする光コネクタ。
【発明の詳細な説明】
【技術分野】
【０００１】
本開示は、光コネクタに関する。
【背景技術】
【０００２】
プラグイン形式の光コネクタとして、いわゆるバックプレーンコネクタが知られている。バックプレーンコネクタでは、プラグインユニットにプリントボードを差し込むことによって、プラグインユニットのバックプレーンに取り付けられた光コネクタと、プリントボードに取り付けられた光コネクタとを接続することになる。例えば特許文献１、２には、このようなバックプレーンコネクタが記載されている。なお、特許文献１には、外部ハウジング及び内部ハウジングを備えた光コネクタの結合機構が記載されている。また、特許文献２には、バックプレーン側の光コネクタをバックプレーンに対して浮動させることによって、光コネクタ同士を嵌合させる際の位置ずれを吸収させることが記載されている。
【先行技術文献】
【特許文献】
【０００３】
【特許文献１】特開平５−４５５４１号公報
【特許文献２】特開平１１−１８３７５３号公報
【発明の概要】
【発明が解決しようとする課題】
【０００４】
特許文献２記載の光コネクタでは、光コネクタの着脱方向に対して垂直なバックプレーンに取付穴が形成されており、バックプレーンハウジングを固定する固定部品と取付穴との間にクリアランスを確保することによって（固定部品の周囲にクリアランスを確保することによって）、バックプレーンハウジングの浮動範囲が設定されている。
但し、特許文献２記載の構成では、光コネクタの嵌合前に、バックプレーンハウジングが浮動範囲に対して偏った位置になるおそれがある。例えば、重力の影響等によってバックプレーンハウジングが取付穴の下縁側に配置されているおそれがある。
このようにバックプレーンハウジングが浮動範囲に対して偏って配置されていると、光コネクタ同士の嵌合性が低下するおそれがある。また、このようにバックプレーンハウジングが浮動範囲に対して偏って配置されてしまうと、光コネクタの位置ずれ（寸法公差など）を小さくする必要が生じてしまい、設計上の制約にもなってしまう。なお、この問題は、バックプレーンコネクタに限られる問題ではなく、光コネクタを基板（例えばバックプレーンやミドルプレーンなど）に対して浮動可能に構成する場合に生じる問題でもある。
【０００５】
本発明の幾つかの実施形態は、光コネクタのハウジングが浮動範囲に対して偏ってしまうことを抑制することを目的とする。
【課題を解決するための手段】
【０００６】
本発明の幾つかの実施形態は、ボードに固定された可動側ハウジングを有する可動側コネクタと、取付部材に設けられた受け側コネクタとを備え、前記可動側コネクタは、可動側フェルールを収容した可動側ハウジングを有し、前記受け側コネクタは、受け側フェルールを収容し、前記可動側コネクタの前記可動側ハウジングと嵌合して着脱方向に移動可能な内側ハウジングと、前記内側ハウジングを収容する外側ハウジングと、前記取付部材と前記外側ハウジングとの間に配置され、前記外側ハウジングに固定された弾性部材とを有し、前記外側ハウジングの外周面と前記取付部材との間に隙間を確保した状態で、前記外側ハウジングが前記弾性部材を介して前記取付部材に前記着脱方向に移動しない態様で保持されていることを特徴とする光コネクタである。
【０００７】
その他の特徴については、後述する明細書及び図面の記載により明らかにする。
【発明の効果】
【０００８】
本発明の幾つかの実施形態によれば、光コネクタのハウジングが浮動範囲に対して偏ってしまうことを抑制できる。
【図面の簡単な説明】
【０００９】
【図１】図１は、接続前の初期位置の光コネクタシステム１００の斜視図である。
【図２】図２は、光コネクタシステム１００の分解斜視図である。
【図３】図３Ａ及び図３Ｂは、コネクタ接続時の様子の説明図である。
【図４】図４Ａは、弾性部材６の説明図である。図４Ｂは、弾性部材６の近傍の断面図である。
【図５】図５は、弾性部材６を示すための分解斜視図である。
【図６】図６は、弾性部材６の機能の概念図である。
【図７】図７Ａは、第２実施形態の受け側光コネクタ３の弾性部材６の説明図である。図７Ｂは、第３実施形態の受け側光コネクタ３の弾性部材６の説明図である。
【図８】図８Ａは、第４実施形態の受け側光コネクタ３の説明図である。図８Ｂは、参考例となる第１実施形態の受け側光コネクタ３の説明図である。
【図９】図９Ａは、第４実施形態の受け側光コネクタ３の分解斜視図である。図９Ｂは、第４実施形態の位置決めピン５Ａの近傍断面図である。
【図１０】図１０Ａは、第４実施形態の変形例の受け側光コネクタ３の分解斜視図である。図１０Ｂは、変形例の位置決めピン５Ａの近傍断面図である。
【図１１】図１１Ａは、第５実施形態の取付部材５の固定方法の説明図である。図１１Ｂは、第５実施形態の変形例の説明図である。
【発明を実施するための形態】
【００１０】
後述する明細書及び図面の記載から、少なくとも以下の事項が明らかとなる。
【００１１】
フェルールを収容したハウジングと、基板に対して前記ハウジングをコネクタ挿抜方向に垂直な方向に移動可能に取り付けるための取付部材と、前記取付部材と前記ハウジングとの間に配置された弾性部材とを備え、前記ハウジングの外周面と前記取付部材との間に隙間を確保した状態で、前記ハウジングが前記弾性部材を介して前記取付部材に保持されていることを特徴とする光コネクタが明らかとなる。このような光コネクタによれば、ハウジングが浮動範囲に対して偏ってしまうことを抑制できる。
【００１２】
前記弾性部材は、前記ハウジングから見て鉛直方向の側に配置されていることが望ましい。これにより、重力などの影響によってハウジングが浮動範囲に対して下側に偏った位置にならずに済む。
【００１３】
前記ハウジングから見て前記鉛直方向と交差する方向の側に、別の弾性部材が前記ハウジングと前記取付部材との間に配置されていることが望ましい。これにより、２次元方向の相対位置ずれを吸収できる。
【００１４】
前記コネクタ挿抜方向に垂直な方向から前記ハウジングを挟むように、一対の前記弾性部材が前記ハウジングと前記取付部材との間に配置されていることが望ましい。これにより、ハウジングが浮動範囲に対して中立な位置になる。
【００１５】
前記コネクタ挿抜方向を軸とする回転方向の移動に対して弾性を有するように、前記ハウジングが、前記弾性部材を介して前記取付部材に保持されていることが望ましい。これにより、回転方向の相対位置ずれを吸収できる。
【００１６】
前記弾性部材は、幅のある板バネで構成されており、前記板バネの一端が前記ハウジングに接触しており、前記板バネの他端が前記取付部材に接触していることが望ましい。これにより、回転方向の移動に対して弾性を有するように、前記ハウジングを保持することを実現できる。
【００１７】
前記板バネの前記一端及び前記他端の一方の端部は固定端であり、逆側の端部は自由端となっていることが望ましい。これにより、弾性部材が変形しやすくなる。
【００１８】
前記取付部材は、前記ハウジングを囲繞する角筒状の部材であり、角筒状の前記取付部材の一側面において、前記コネクタ挿抜方向に平行な基板面を有する前記基板に固定されていることが望ましい。これにより、前記フェルールを収容した前記ハウジングを、前記コネクタ挿抜方向に平行な基板面を有する前記基板に対して、コネクタ挿抜方向に垂直に浮動可能にさせることができる。
【００１９】
前記取付部材は、前記基板の位置決め穴に嵌合させる位置決めピンを有することが望ましい。これにより、取付部材を基板に対して位置合わせすることができる。
【００２０】
前記位置決めピンは、前記取付部材を前記基板にネジ留めするためのネジ留め部を有することが望ましい。これにより、取付部材５の基板側の面が狭くても、基板に対して取付部材を位置決めしつつネジ留め可能となる。
【００２１】
＝＝＝第１実施形態＝＝＝
＜光コネクタの基本構成＞
図１は、接続前の初期位置の光コネクタシステム１００の斜視図である。図２は、光コネクタシステム１００の分解斜視図である。図３Ａ及び図３Ｂは、コネクタ接続時の様子の説明図である。
【００２２】
本実施形態の光コネクタシステム１００は、受け側光コネクタ３（第１光コネクタ）と、可動側光コネクタ７（第２光コネクタ）とを有する。受け側光コネクタ３は、ここではプラグインユニット（不図示）のミドルプレーン１（第１基板）に取り付けられている。但し、受け側光コネクタ３を取り付ける基板は、ミドルプレーン１に限られるものではなく、他の基板（例えばバックプレーン等）でも良い。また、可動側光コネクタ７は、ここではプラグインユニットのガイド溝（不図示）に沿って挿抜されるプリントボード２（第２基板）に取り付けられている。但し、可動側光コネクタ７を取り付ける基板は、プリントボード２に限られるものではない。
【００２３】
以下の説明では、図１に示すように各方向を定義する。すなわち、コネクタ挿抜方向（着脱方向）を「Ｚ方向」とする。Ｚ方向のことを「前後方向」と呼び、それぞれの光コネクタから見て相手側の光コネクタの側を「前」と呼び、逆側を「後」と呼ぶこともある。また、プリントボード２の基板面に垂直な方向を「Ｙ方向」とし、Ｙ方向及びＺ方向に垂直な方向を「Ｘ方向」とする。なお、本実施形態では、Ｙ方向は鉛直方向である。鉛直方向下側のことを「下」と呼ぶこともある。
【００２４】
・受け側光コネクタ３の構成
受け側光コネクタ３は、光コネクタ本体４と、取付部材５とを有する。光コネクタ本体４は、取付部材５を介してミドルプレーン１に取り付けられている。ミドルプレーン１は、ＹＺ平面に平行な基板面を有している。光コネクタ本体４は、取付部材５（又はミドルプレーン１）に対してＸＹ方向に移動可能（浮動可能）に取り付けられている（後述：図６参照）。
【００２５】
光コネクタ本体４は、受け側ハウジング１０（第１ハウジング）と、光モジュール５０とを有する。
【００２６】
受け側ハウジング１０は、フェルール５１（図２参照：光モジュール５０のフェルール５１）を収容するための部材である。受け側ハウジング１０は、外側ハウジング１１と、内側ハウジング１２とを有する。受け側ハウジング１０は、受け側接続機構１３を有しており、外側ハウジング１１及び内側ハウジング１２には、受け側接続機構１３を構成する部位がそれぞれ形成されている。但し、受け側ハウジング１０が２部材（外側ハウジング１１及び内側ハウジング１２）で構成されるのではなく、１部材で構成されても良い。
【００２７】
外側ハウジング１１は、内側ハウジング１２を収容する部材である。外側ハウジング１１は、角筒状に構成されており、その内部空間に内側ハウジング１２が収容されている。外側ハウジング１１の後部は取付部材５に取り付けられており、外側ハウジング１１の前部が、取付部材５及びミドルプレーン１の前縁よりも前側に突出している。外側ハウジング１１の前側開口部１１３は、可動側光コネクタ７の光モジュール５０を挿入するための挿入口となる。
【００２８】
外側ハウジング１１の前側開口部１１３には、開閉可能なシャッター１１４が設けられている。図１に示すように、シャッター１１４は、コネクタ接続前はバネによって閉じるように構成されており、コネクタ接続時に可動側コネクタによって押し開かれることになる。図２には、説明のため若干開いた状態でシャッター１１４が図示されている。ここでは、外側ハウジング１１は、観音開き型の２枚のシャッター１１４を有する。観音開き型の２枚のシャッター１１４を設けることによって、１枚のシャッター１１４を片開きに構成する場合と比べて、外側ハウジング１１の前後方向の寸法を短くすることができる。但し、外側ハウジング１１がシャッター１１４を備えていなくても良い。
【００２９】
外側ハウジング１１の後側開口部（不図示）は、内側ハウジング１２を取り付けるための取付口となる。言い換えると、外側ハウジング１１は、内側ハウジング１２を取り付けるためのハウジング取付部（不図示）を有している。外側ハウジング１１には、複数（ここでは３つ）の内側ハウジング１２がＹ方向に並んで取り付けられている。但し、外側ハウジング１１に取り付けられる内側ハウジング１２は、１つでも良いし、他の数でも良い。また、複数の内側ハウジング１２がＸ方向に並んで配置されても良い。
【００３０】
内側ハウジング１２は、光モジュール５０を収容する部材であり、外側ハウジング１１に対して光モジュール５０を取り付けるための部材である。内側ハウジング１２は、外側ハウジング１１の内側に収容されている。ここでは、内側ハウジング１２は、外側ハウジング１１に対してＺ方向に移動可能に収容されている。内側ハウジング１２が外側ハウジング１１に対してＺ方向に移動可能であることを利用して、受け側接続機構１３と可動側接続機構２３とが着脱自在に構成されている。但し、内側ハウジング１２が外側ハウジング１１に固定されていても良い。
【００３１】
内側ハウジング１２は、光モジュール５０を装着するためのモジュール装着部１２１を有する。内側ハウジング１２は、複数（ここでは３つ）のモジュール装着部１２１を有しており、複数の光モジュール５０をＸ方向に並べて装着可能である。モジュール装着部１２１に光モジュール５０が装着されると、内側ハウジング１２の前端面から光モジュール５０のフェルール５１の端面が突出して配置されることになる（図２参照）。なお、モジュール装着部１２１の内壁面には、フェルール５１の鍔部（フランジ部）と接触してフェルール５１の前抜けを防止するための突起（不図示）が設けられている。
【００３２】
内側ハウジング１２の側面には、受け側接続機構１３が形成されている。内側ハウジング１２の受け側接続機構１３は、外側ハウジング１１の側面に形成された側面開口部１１６から露出し、可動側光コネクタ７の可動側接続機構２３に接続可能に構成されている。
【００３３】
光モジュール５０は、光ファイバ（光ファイバテープ、光ケーブル、光コード等を構成する光ファイバを含む）の終端に取り付けられたモジュールである。光モジュール５０は、フェルール５１と、ピンクランプ５２と、スプリング５３と、スプリングプッシュ５４とを有する。フェルール５１は、光ファイバの端部を保持する部材である。フェルール５１の鍔部は、フェルール５１本体の外周面から外側に突出しており、内側ハウジング１２のモジュール装着部１２１の内壁面に形成された突起（不図示）に接触する。フェルール５１は、前側に押圧された状態で後退可能に内側ハウジング１２に収容される。具体的には、スプリングプッシュ５４を内側ハウジング１２のモジュール装着部１２１に引っ掛けることによって光モジュール５０が内側ハウジング１２に取り付けられると、スプリング５３がピンクランプ５２とスプリングプッシュ５４との間で圧縮変形した状態になり、スプリング５３の弾性力によって、フェルール５１が、モジュール装着部１２１の内壁面の突起（不図示）に鍔部を接触させた状態で、前側に押圧された状態になる。
【００３４】
・可動側光コネクタ７の構成
可動側光コネクタ７は、プリントボード２に取り付けられている。プリントボード２は、ＸＺ平面に平行な基板面を有し、Ｚ方向に沿って移動可能である。可動側光コネクタ７は、プリントボード２とともにＺ方向に移動することになる。
【００３５】
可動側光コネクタ７は、可動側ハウジング２０（第２ハウジング）と、光モジュール５０とを有する。
【００３６】
可動側ハウジング２０は、光モジュール５０を収容するための部材である。可動側ハウジング２０は、外側ハウジング２１と、内側ハウジング２２とを有する。可動側ハウジング２０は、可動側接続機構２３を有しており、外側ハウジング２１及び内側ハウジング２２には、可動側接続機構２３を構成する部位がそれぞれ形成されている。
【００３７】
外側ハウジング２１は、内側ハウジング２２を収容する部材である。外側ハウジング２１は、角筒状に構成されており、その内部空間に内側ハウジング２２が収容されている。外側ハウジング２１の後部はプリントボード２に取り付けられており、外側ハウジング２１の前部は、プリントボード２の前縁よりも前側に突出している。外側ハウジング２１の前側開口部（不図示）は、受け側光コネクタ３の外側ハウジング１１の前部を挿入するための挿入口となる（図３Ａ参照）。
【００３８】
外側ハウジング２１の後側開口部２１５は、内側ハウジング２２を取り付けるための取付口となる。言い換えると、外側ハウジング２１は、内側ハウジング２２を取り付けるためのハウジング取付部を有している。外側ハウジング２１には、複数（ここでは３つ）の内側ハウジング２２がＹ方向に並んで取り付けられている。但し、外側ハウジング２１に取り付けられる内側ハウジング２２は、１つでも良いし、他の数でも良い。また、複数の内側ハウジング２２がＸ方向に並んで配置されても良い。
【００３９】
内側ハウジング２２は、光モジュール５０を収容する部材であり、外側ハウジング２１に対して光モジュール５０を取り付けるための部材である。内側ハウジング２２は、外側ハウジング２１の内側に収容されている。可動側の内側ハウジング２２は、受け側光コネクタ３の内側ハウジング１２とは異なり、外側ハウジング２１に対して固定されており、外側ハウジング２１に対してＺ方向には移動しない。但し、受け側光コネクタ３と同様に、内側ハウジング２２が外側ハウジング２１に対してＺ方向に移動可能に構成されても良い。
【００４０】
内側ハウジング２２は、光モジュール５０を装着するためのモジュール装着部２２１を有する。受け側光コネクタ３と同様に、内側ハウジング２２は、複数（ここでは３つ）のモジュール装着部２２１を有しており、複数の光モジュール５０をＸ方向に並べて装着可能である。受け側光コネクタ３と同様に、モジュール装着部２２１の内壁面には、フェルール５１の鍔部（フランジ部）と接触してフェルール５１の前抜けを防止するための突起（不図示）が設けられている。
【００４１】
内側ハウジング２２は、挿入部２２２と、一対の腕部２２３とを有する。
【００４２】
挿入部２２２は、受け側光コネクタ３の外側ハウジング１１の内側に挿入される部位である。挿入部２２２は、一対の腕部２２３の間に配置されており、挿入部２２２と腕部２２３との間には隙間が空いている。コネクタ接続時には、挿入部２２２と腕部２２３との隙間に外側ハウジング２１の側板（及びシャッター１１４）が配置されることになる（図３Ａ及び図３Ｂ参照）。挿入部２２２にはモジュール装着部２２１が形成されている。モジュール装着部２２１に光モジュール５０が装着されると、挿入部２２２の前端面から光モジュール５０のフェルール５１の端面が突出して配置されることになる。コネクタ接続時には、可動側光コネクタ７の光モジュール５０が、挿入部２２２とともに受け側ハウジング１０の前側開口部１１３から挿入されることになる。挿入部２２２の前端面には、シャッター１１４を押し開けるための突起２２２Ａが形成されている。
【００４３】
腕部２２３は、内側ハウジング２２を外側ハウジング２１に固定するための部位である。また、腕部２２３の外側面には、可動側接続機構２３が形成されている。腕部２２３に形成された内側ハウジング２２の可動側接続機構２３は、外側ハウジング２１の側面に形成された側面開口部２１６から露出し、受け側光コネクタ３の受け側接続機構１３に接続可能に構成されている。
【００４４】
光モジュール５０は、光ファイバの終端に取り付けられたモジュールである。光モジュール５０は、受け側光コネクタ３の光モジュール５０と同様の構成であり、フェルール５１と、ピンクランプ５２と、スプリング５３と、スプリングプッシュ５４とを有する。受け側光コネクタ３と同様に、フェルール５１は、前側に押圧された状態で後退可能に内側ハウジング２２に収容される。
【００４５】
・コネクタ接続時について
図３Ａに示すように、プラグインユニットのガイド溝（不図示）に沿ってプリントボード２をミドルプレーン１に向かって移動させると、受け側ハウジング１０と可動側ハウジング２０とが接触し、受け側光コネクタ３と可動側光コネクタ７との位置合わせが行われる。具体的には、図３Ａに示すように、可動側光コネクタ７の角筒状の外側ハウジング２１の内側に受け側ハウジング１０の角筒状の外側ハウジング１１が入り込み、受け側光コネクタ３の外側ハウジング１１の外周面と可動側光コネクタ７の外側ハウジング２１の内周面とが接触し、受け側ハウジング１０と可動側ハウジング２０とが嵌合することによって、可動側光コネクタ７の外側ハウジング２１とのＸ方向及びＹ方向の相対位置が合わせられることになる。
【００４６】
図３Ａに示す段階では、受け側光コネクタ３のフェルール５１と、可動側光コネクタ７のフェルール５１とは接触していない。つまり、受け側光コネクタ３のフェルール５１と、可動側光コネクタ７のフェルール５１との接触前に、受け側ハウジング１０と可動側ハウジング２０とが嵌合することによって、受け側光コネクタ３と可動側光コネクタ７との位置合わせが行われることになる。
【００４７】
なお、受け側ハウジング１０と可動側ハウジング２０とが接触するとき、受け側光コネクタ３のシャッター１１４が可動側光コネクタ７の挿入部２２２の突起２２２Ａ（図２参照）によって押し開かれる。受け側ハウジング１０と可動側ハウジング２０とが嵌合するとき、可動側光コネクタ７の外側ハウジング２１及び内側ハウジング２２の腕部２２３が、受け側光コネクタ３の外側ハウジング１１の外側になり、可動側光コネクタ７の内側ハウジング２２の挿入部２２２（及び光モジュール５０）が、受け側光コネクタ３の外側ハウジング１１の内側に挿入される。
【００４８】
図３Ａに示す状態から更にプリントボード２をミドルプレーン１に向かって移動させると、図３Ｂに示すように、受け側接続機構１３と可動側接続機構２３とが接続する。このとき、受け側光コネクタ３のフェルール５１の位置決めピンが可動側光コネクタ７のフェルール５１の位置決め穴（不図示）に嵌合することによってフェルール５１同士の位置合わせが行われ、フェルール５１の端面同士が突き合わせられる。
【００４９】
ところで、受け側光コネクタ３のフェルール５１の位置決めピンに可動側光コネクタ７のフェルール５１の位置決め穴（不図示）を嵌合させるためには、予めフェルール５１同士の相対位置を高精度（例えばＸＹ方向の位置ずれが約０．４ｍｍ以下の範囲）にする必要がある。一方、図１に示す初期段階からフェルール５１同士の相対位置が高精度になるように受け側光コネクタ３や可動側光コネクタ７を作り込むことは困難である。そこで、本実施形態では、フェルール５１同士の接触前に受け側ハウジング１０と可動側ハウジング２０とを嵌合させることによって、初期段階のフェルール５１同士の相対位置のズレを緩和させている。これにより、図１の初期段階では、受け側光コネクタ３と可動側光コネクタ７との相対的な位置ずれ（Ｘ方向及びＹ方向の位置ずれ）は、約２．５ｍｍ程度まで許容されている。
【００５０】
＜浮動機構について＞
本実施形態では、受け側ハウジング１０と可動側ハウジング２０との嵌合時に、初期段階のフェルール５１同士の相対位置ずれを緩和できるようにするために、受け側ハウジング１０が、取付部材５に対してＸＹ方向に移動可能（浮動可能）に構成されている。すなわち、受け側ハウジング１０を取付部材５に対してＸＹ方向に移動可能（浮動可能）に構成することによって、受け側ハウジング１０と可動側ハウジング２０との嵌合時に、受け側光コネクタ３の光コネクタ本体４が可動側光コネクタ７の位置に応じて取付部材５（ミドルプレーン１）に対して移動し、これにより、初期段階のフェルール５１同士の相対位置ずれが緩和される。
【００５１】
図４Ａは、弾性部材６の説明図である。図４Ｂは、弾性部材６の近傍の断面図である。図５は、弾性部材６を示すための分解斜視図である。図６は、弾性部材６の機能の概念図である。
【００５２】
取付部材５は、ミドルプレーン１に対してＸＹ方向に移動可能に受け側ハウジング１０をミドルプレーン１に取り付けるための部材である。なお、受け側ハウジング１０がＸＹ方向に移動可能に取り付けられるため、光コネクタ本体４がＸＹ方向に移動可能となる。取付部材５は、角筒状に構成されており、その内部空間に受け側ハウジング１０（詳しくは外側ハウジング１１の後部）が収容されている。つまり、取付部材５によって、受け側ハウジング１０（詳しくは外側ハウジング１１の後部）が囲繞されている。角筒状の取付部材５の一側面において、取付部材５がミドルプレーン１にネジ留め固定されている。
【００５３】
角筒状の取付部材５の内周面と受け側ハウジング１０（詳しくは外側ハウジング１１の後部）の外周面との間には、隙間が確保されており、これにより取付部材５に対する受け側ハウジング１０（光コネクタ本体４）の浮動範囲が設定されている。
【００５４】
なお、取付部材５の底面（ミドルプレーン１の側の面）には位置決めピン５Ａ（位置決め部）が形成されている。一対の位置決めピン５ＡがＹ方向に並んで形成されている。位置決めピン５Ａがミドルプレーン１の位置決め穴１Ａ（位置決め部）と嵌合した状態で、取付部材５がミドルプレーン１に固定される。
【００５５】
取付部材５と受け側ハウジング１０（詳しくは外側ハウジング１１）との間には弾性部材６が配置されている。本実施形態では、受け側ハウジング１０の外周面と取付部材５の内周面との間に隙間を確保した状態で、受け側ハウジング１０が弾性部材６を介して取付部材５に保持されている。これにより、受け側ハウジング１０が浮動範囲に対して偏って配置されることを抑制できる。
【００５６】
ところで、仮に弾性部材６が無い場合には、例えば重力等の影響によって受け側ハウジング１０が取付部材５と接触した状態（受け側ハウジング１０が浮動範囲に対して下側に寄った状態）になってしまう。このように受け側ハウジング１０が浮動範囲に対して偏った状態の場合、可動側光コネクタ７との嵌合時に受け側ハウジング１０を下側に移動させることができないため、可動側光コネクタ７との嵌合性が低下してしまう。また、このように受け側ハウジング１０が浮動範囲に対して偏った状態の場合、受け側ハウジング１０を下側に移動させてしまうような受け側光コネクタ３と可動側光コネクタ７との位置ずれ（寸法公差など）を許容できなくなるため、受け側光コネクタ３や可動側光コネクタ７の設計上の制約になってしまう。これに対し、本実施形態では、受け側ハウジング１０が弾性部材６を介して取付部材５に保持されることによって、受け側ハウジング１０の外周面と取付部材５の内周面との間に隙間が確保された状態になっているため、このような問題が生じずに済む。
【００５７】
本実施形態では、Ｙ方向が鉛直方向であり、受け側ハウジング１０から見て鉛直方向（Ｙ方向）の側にＹ方向弾性部材６Ｙが配置されている。このＹ方向弾性部材６Ｙによって、重力の影響によって受け側ハウジング１０が浮動範囲に対して下側に偏って配置されることを抑制できる。
【００５８】
本実施形態では、受け側ハウジング１０から見てＹ方向の側にＹ方向弾性部材６Ｙが配置されているだけでなく、受け側ハウジング１０から見てＸ方向の側にＸ方向弾性部材６Ｘが配置されている。つまり、受け側ハウジング１０から見て、ＸＹ方向のそれぞれに弾性部材６が配置されている。これにより、Ｚ方向に垂直な方向における受け側光コネクタ３と可動側光コネクタ７との相対的な位置ずれを許容できる。また、Ｙ方向弾性部材６Ｙ及びＸ方向弾性部材６Ｘを設けることによって、回転方向の変位に対して弾性を有するように、受け側ハウジング１０を取付部材５に対して保持できるという利点もある。
【００５９】
本実施形態では、一対のＹ方向弾性部材６Ｙが、Ｙ方向から受け側ハウジング１０を挟むように、取付部材５と受け側ハウジング１０との間にそれぞれ配置されている。また、一対のＸ方向弾性部材６Ｘは、Ｘ方向から受け側ハウジング１０を挟むように、取付部材５と受け側ハウジング１０（詳しくは外側ハウジング１１）との間にそれぞれ配置されている。このように、一対の弾性部材６が、Ｚ方向に垂直な方向から受け側ハウジング１０を挟むように取付部材５と受け側ハウジング１０との間に配置されることによって、受け側ハウジング１０を浮動範囲に対して中立な位置にすることができる。
【００６０】
本実施形態では、弾性部材６は、幅のある板バネで構成されている。例えば、図５に示すように、Ｙ方向弾性部材６ＹはＸ方向に幅のある板バネで構成されており、Ｘ方向弾性部材６ＸはＹ方向に幅のある板バネで構成されている。そして、本実施形態では、このように幅のある板バネの一端が光コネクタ本体４（詳しくは、外側ハウジング１１）に接触するとともに、他端が取付部材５に接触している。これにより、それぞれの板バネは、幅方向にわたって弾性を示すことになる。例えばＹ方向弾性部材６Ｙは幅方向となるＸ方向にわたって弾性を有することになる。このため、概念図である図６では、１つの板バネは、間隔を空けた２つのバネ要素として示されている。例えば、Ｙ方向弾性部材６Ｙは、Ｘ方向に間隔を空けた２つのバネ要素として示されており、Ｘ方向弾性部材６Ｘは、Ｙ方向に間隔を空けた２つのバネ要素として示されている。
そして、各弾性部材６が幅方向にわたって弾性を有することによって、回転方向の変位に対して弾性を有するように、受け側ハウジング１０を取付部材５に対して保持することが実現できる。これにより、受け側ハウジング１０が取付部材５に対してＺ軸回りの回転方向に移動することが許容されるため、仮に初期段階に受け側光コネクタ３と可動側光コネクタ７との相対位置関係がＺ軸回りにズレていても、コネクタ接続時にその位置ズレを吸収することができる。また、可動側光コネクタ７の抜去後には、受け側ハウジング１０が取付部材５に対して初期位置に戻ることができる。なお、受け側ハウジング１０が、板バネ以外の弾性部材６によって、Ｚ軸回りの回転方向に移動可能に保持されても良い。弾性部材６は、板バネ以外の部材でもよく、皿バネや、コイルスプリングであっても良い。
【００６１】
また、本実施形態では、板バネは片持ち梁状に構成されており、前側端部は外側ハウジング１１に固定されて固定端となってなり、後側端部は取付部材５の内周面と接する自由端となっている（図４Ｂ、図５参照）。板バネの一方の端部を外側ハウジング１１（若しくは取付部材５）に固定することによって、弾性部材６がズレることを防止できる。また、板バネの逆側の端部を自由端とすることによって、自由端の側において板バネの端部が摺動可能になるため、弾性部材６が変形しやすくなり、外側ハウジング１１が取付部材５に対して移動しやすくなる。なお、弾性部材６の一端を取付部材５に固定し、外側ハウジング１１側の端部を自由端にしても良い。また、板バネは、片持ち梁状ではなくても良い。
【００６２】
＝＝＝第２実施形態＝＝＝
図７Ａは、第２実施形態の受け側光コネクタ３の弾性部材６の説明図である。
第２実施形態の受け側光コネクタ３は、第１実施形態の受け側光コネクタ３と同様に、フェルール５１を収容した受け側ハウジング１０と、ミドルプレーン１に対してハウジングをＸＹ方向に移動可能に取り付けるための取付部材５と、取付部材５と受け側ハウジング１０との間に配置された弾性部材６とを備えている。但し、第２実施形態では、弾性部材６の数や配置が、第１実施形態とは異なっている。
【００６３】
第２実施形態では、Ｙ方向弾性部材６Ｙ及びＸ方向弾性部材６Ｘが１つずつ設けられている（つまり、受け側ハウジング１０から見てＹ方向の片側だけにＹ方向弾性部材６Ｙが設けられており、受け側ハウジング１０から見てＸ方向の片側だけにＸ方向弾性部材６Ｘが設けられている）。第２実施形態においても、受け側ハウジング１０（詳しくは外側ハウジング１１の後部）の外周面と取付部材５の内周面との間に隙間を確保した状態で、受け側ハウジング１０が弾性部材６を介して取付部材５に保持されている。これにより、受け側ハウジング１０が浮動範囲に対して偏って配置されることを抑制できる。
【００６４】
また、第２実施形態では、Ｙ方向弾性部材６Ｙ及びＸ方向弾性部材６Ｘがそれぞれ設けられている。これにより、Ｚ方向に垂直な方向における受け側光コネクタ３と可動側光コネクタ７との相対的な位置ずれを許容できる。加えて、第２実施形態においても、回転方向の変位に対して弾性を有するように、受け側ハウジング１０を取付部材５に対して保持することが実現できる。
【００６５】
なお、第２実施形態では、受け側ハウジング１０を挟むような一対の弾性部材６は配置されていない。また、第２実施形態の弾性部材６は、幅のある板バネではなく他の部材（例えばコイルスプリングなど）で構成されており、第１実施形態のように幅方向にわたって弾性を有していない（このため、概念図である図７ＡではＹ方向弾性部材６ＹもＸ方向弾性部材６Ｘも１つのバネ要素として示されている）。但し、このような構成であっても、受け側ハウジング１０の外周面と取付部材５の内周面との間に隙間を確保した状態で、弾性部材６を介して受け側ハウジング１０を取付部材５に保持することは可能である。
【００６６】
＝＝＝第３実施形態＝＝＝
図７Ｂは、第３実施形態の受け側光コネクタ３の弾性部材６の説明図である。
第３実施形態の受け側光コネクタ３は、前述の実施形態の受け側光コネクタ３と同様に、フェルール５１を収容した受け側ハウジング１０と、ミドルプレーン１に対してハウジングをＸＹ方向に移動可能に取り付けるための取付部材５と、取付部材５と受け側ハウジング１０との間に配置された弾性部材６とを備えている。
【００６７】
第３実施形態では、Ｙ方向弾性部材６Ｙが、受け側ハウジング１０から見てＹ方向の片側（受け側ハウジング１０の下側）だけにＹ方向弾性部材６Ｙが設けられている。このため、第３実施形態では、第２実施形態と同様に、受け側ハウジング１０をＹ方向から挟むような一対のＹ方向弾性部材６Ｙが無い。また、第３実施形態では、第１実施形態や第２実施形態とは異なり、Ｘ方向弾性部材６Ｘが無い。但し、第３実施形態では、Ｙ方向弾性部材６Ｙは、幅のある板バネで構成されており、板バネの幅方向であるＸ方向にわたって弾性を有している（このため、概念図である図７Ｂでは１つの板バネであるＹ方向弾性部材６Ｙが、Ｘ方向に並ぶ２つのバネ要素として示されている）。第３実施形態においても、受け側ハウジング１０（詳しくは外側ハウジング１１の後部）の外周面と取付部材５の内周面との間に隙間を確保した状態で、受け側ハウジング１０が弾性部材６を介して取付部材５に保持されている。これにより、受け側ハウジング１０が浮動範囲に対して偏って配置されることを抑制できる。
【００６８】
また、第３実施形態では、Ｙ方向弾性部材６ＹがＸ方向にわたって弾性を有しているため（図７Ｂ参照）、回転方向の変位に対して弾性を有するように、受け側ハウジング１０を取付部材５に対して保持することが実現できる。
【００６９】
＝＝＝第４実施形態＝＝＝
図８Ａは、第４実施形態の受け側光コネクタ３の説明図である。図８Ｂは、参考例となる第１実施形態の受け側光コネクタ３の説明図である。
【００７０】
図８Ｂに示す参考例では、角筒状の取付部材５の本体部の一側面から後側に突出した突出板部５Ｂが形成されており、この突出板部５Ｂにおいて取付部材５がミドルプレーン１にネジ留め固定されている。但し、このような突出板部５Ｂを設けると、ミドルプレーン１の配線可能な面が狭くなってしまう。これに対し、第４実施形態では、取付部材５には突出板部５Ｂが形成されておらず、角筒状の取付部材５の本体部側面において取付部材５がミドルプレーン１に固定されている。これにより、第４実施形態では、ミドルプレーン１の配線可能な面を広くすることができる。
【００７１】
図９Ａは、第４実施形態の受け側光コネクタ３の分解斜視図である。第４実施形態においても、一対のＹ方向弾性部材６Ｙが、Ｙ方向から受け側ハウジング１０を挟むように、取付部材５と受け側ハウジング１０との間にそれぞれ配置されている。また、一対のＸ方向弾性部材６Ｘは、Ｘ方向から受け側ハウジング１０を挟むように、取付部材５と受け側ハウジング１０（詳しくは外側ハウジング１１）との間にそれぞれ配置されている。このため、第４実施形態においても、一対の弾性部材６が、Ｚ方向に垂直な方向から受け側ハウジング１０を挟むように取付部材５と受け側ハウジング１０との間に配置されている。これにより、受け側ハウジング１０を浮動範囲に対して中立な位置にすることができる。
【００７２】
取付部材５の底面（ミドルプレーン１の側の面）には一対の位置決めピン５Ａ（位置決め部）が形成されている。第４実施形態の取付部材５には参考例のような突出板部５Ｂが無いため、第４実施形態の取付部材５の底面（ミドルプレーン１の側の面）の面積が狭いため、参考例の取付部材５（図５参照）のようにネジ留めするための領域と位置決めピン５Ａを形成する領域とをそれぞれ別々に設けることが難しい。そこで、第４実施形態では、位置決めピン５Ａに、取付部材５をネジ留めするための雄ネジ部５Ｃ（ネジ留め部）を形成している。
【００７３】
図９Ｂは、第４実施形態の位置決めピン５Ａの近傍断面図である。位置決めピン５Ａの端部には雄ネジ部５Ｃが形成されている。位置決めピン５Ａとミドルプレーン１の位置決め穴１Ａ（位置決め部）とを嵌合させながら、取付部材５をミドルプレーン１上に配置させると、ミドルプレーン１の裏面から雄ネジ部５Ｃが突出する。このため、雄ネジ部５Ｃとナット５Ｄとを締結すれば、ミドルプレーン１に対して取付部材５を位置決めしながらネジ留め固定することができる。このように、第４実施形態では、取付部材５の位置決めピン５Ａにネジ留め部（雄ネジ部５Ｃ）を設けることによって、取付部材５の底面（ミドルプレーン１の側の面）の面積が狭くても、ミドルプレーン１に対して取付部材５を位置決めしつつネジ留め固定することができる。
【００７４】
＜第４実施形態の変形例＞
図１０Ａは、第４実施形態の変形例の受け側光コネクタ３の分解斜視図である。図１０Ｂは、変形例の位置決めピン５Ａの近傍断面図である。変形例では、位置決めピン５Ａに雌ネジ部５Ｅが形成されている。取付部材５の位置決めピン５Ａとミドルプレーン１の位置決め穴１Ａ（位置決め部）とを嵌合させながら、ミドルプレーン１の裏面側からボルト５Ｆを雌ネジ部５Ｅに締結すれば、ミドルプレーン１に対して取付部材５を位置決めしながらネジ留め固定することができる。変形例においても、取付部材５の位置決めピン５Ａにネジ留め部（雌ネジ部５Ｅ）を設けることによって、取付部材５の底面（ミドルプレーン１の側の面）の面積が狭くても、ミドルプレーン１に対して取付部材５を位置決めしつつネジ留め固定することができる。
【００７５】
なお、変形例では、平座金及びバネ座金を介してボルト５Ｆが締結されている。このように、ミドルプレーン１の裏面側で座金（ワッシャー）を介在させて、取付部材５をネジ留め固定しても良い。
【００７６】
＝＝＝第５実施形態＝＝＝
図１１Ａは、第５実施形態の取付部材５の固定方法の説明図である。第５実施形態では、プッシュリベット８によって取付部材５がミドルプレーン１に対して固定されている。このように、取付部材５の固定方法はネジ留めに限られるものではなく、他の方法でも良い。
【００７７】
プッシュリベット８は、グロメット部８Ａと、押し込みピン８Ｂとを有する固定部材である。取付部材５とミドルプレーン１に固定用の孔が予め形成されており、グロメット部８Ａを２つの穴に挿通させた後、押し込みピン８Ｂを押し込むとグロメット部８Ａの端部が開く。図１１Ａのプッシュリベット８では、グロメット部８Ａの頭部が座金状に形成されており、グロメット部８Ａの開いた端部と座金状の頭部との間に取付部材５及びミドルプレーン１が挟み込まれることによって、取付部材５がミドルプレーン１に対して固定される。
【００７８】
図１１Ｂは、第５実施形態の変形例の説明図である。変形例のプッシュリベット８では、押し込みピン８Ｂの頭部が座金状に形成されており、押し込みピン８Ｂが押し込まれると、グロメット部８Ａの端部が開くとともに、グロメット部８Ａの開いた端部と押し込みピン８Ｂの座金状の頭部との間に取付部材５及びミドルプレーン１が挟み込まれることによって、取付部材５がミドルプレーン１に対して固定される。
【００７９】
図１１Ａ及び図１１Ｂに示すように、プッシュリベット８を用いた場合、取付部材５の内側にプッシュリベット８の一部（例えばグロメット部８Ａの開いた端部）が突出することになる。既に説明したように、取付部材５と受け側ハウジング１０との間には弾性部材６を配置するための隙間が確保されているため、この隙間に、取付部材５の内側に突出するプッシュリベット８の一部（例えばグロメット部８Ａの開いた端部）を配置させても良い。
【００８０】
＝＝＝小括＝＝＝
上記の幾つかの実施形態の受け側光コネクタ３（光コネクタ）は、フェルール５１を収容した受け側ハウジング１０（ハウジング）と、ミドルプレーン１（基板）に対してハウジングをＸＹ方向（コネクタ挿抜方向に垂直な方向）に移動可能に取り付けるための取付部材５と、取付部材５と受け側ハウジング１０との間に配置された弾性部材６とを備えている。そして、上記の幾つかの実施形態では、受け側ハウジング１０と取付部材５との間に隙間を確保した状態で、受け側ハウジング１０が弾性部材６を介して取付部材５に保持されている（例えば図６参照）。これにより、受け側ハウジング１０が浮動範囲に対して偏った位置にならずに済む。
【００８１】
また、上記の幾つかの実施形態では、Ｙ方向弾性部材６Ｙが、受け側ハウジング１０から見て鉛直方向の側に配置されている。これにより、重力などの影響によって受け側ハウジング１０が浮動範囲に対して下側に偏った位置にならずに済む。
【００８２】
また、上記の幾つかの実施形態では、受け側ハウジング１０から見てＸ方向（鉛直方向とは交差する方向）の側に、Ｙ方向弾性部材６Ｙとは別のＸ方向弾性部材６Ｘが取付部材５と受け側ハウジング１０との間に配置されている。このようにＹ方向弾性部材６Ｙ及びＸ方向弾性部材６Ｘを備えることによって、Ｚ方向（コネクタ挿抜方向）に垂直な方向における受け側光コネクタ３と可動側光コネクタ７との相対的な位置ずれを許容できる。
【００８３】
また、上記の幾つかの実施形態では、Ｚ方向（コネクタ挿抜方向）に垂直な方向から受け側ハウジング１０を挟むように、一対の弾性部材６が受け側ハウジング１０と取付部材５との間に配置されている。これにより、受け側ハウジング１０を浮動範囲に対して中立な位置にすることができる。
【００８４】
また、上記の幾つかの実施形態では、Ｚ方向（コネクタ挿抜方向）を軸とする回転方向の移動に対して弾性を有するように、受け側ハウジング１０が弾性部材６を介して取付部材５に保持されている。これにより、受け側ハウジング１０が取付部材５に対してＺ軸回りの回転方向に移動することが許容されるため、仮に初期段階に受け側光コネクタ３と可動側光コネクタ７との相対位置関係がＺ軸回りにズレていても、コネクタ接続時にその位置ズレを吸収することができる。また、可動側光コネクタ７の抜去後には、受け側ハウジング１０が取付部材５に対して初期位置に戻ることができる。
【００８５】
また、上記の幾つかの実施形態では、弾性部材６は幅のある板バネで構成されており、板バネの一端が受け側ハウジング１０（外側ハウジング１１）に接触しており、板バネの他端が取付部材５に接触している。これにより、Ｚ方向（コネクタ挿抜方向）を軸とする回転方向の移動に対して弾性を有するように、受け側ハウジング１０が弾性部材６を介して取付部材５に保持することを実現できる。
【００８６】
また、上記の幾つかの実施形態では、板バネの一方の端部は固定端であり、逆側の端部は自由端となっている（例えば図４Ｂ参照）。これにより、自由端の側において板バネの端部が摺動可能になるため、弾性部材６が変形しやすくなり、受け側ハウジング１０が取付部材５に対して移動しやすくなる。
【００８７】
また、上記の幾つかの実施形態では、取付部材５は、受け側ハウジング１０を囲繞する角筒状の部材であり、角筒状の取付部材５の一側面において、Ｚ方向に平行なミドルプレーン１に固定されている。このような構成により、可動側光コネクタ７をＺ方向に挿抜させる受け側光コネクタ３の光コネクタ本体４を、Ｚ方向に平行なミドルプレーン１に対してＸＹ方向に浮動可能になるように、ミドルプレーン１に取り付けることを実現できる。
【００８８】
また、上記の幾つかの実施形態では、取付部材５は、ミドルプレーン１（基板）の位置決め穴１Ａに嵌合させる位置決めピン５Ａを有している。これにより、ミドルプレーン１に対して取付部材５の位置を合わせることができる。
【００８９】
また、上記の幾つかの実施形態では、位置決めピン５Ａは、取付部材５をミドルプレーン１にネジ留めするためのネジ留め部（例えば雄ネジ部５Ｃ又は雌ネジ部５Ｅ）を有している。これにより、取付部材５のミドルプレーン１の側の面が狭くても、ミドルプレーン１に対して取付部材５を位置決めしつつネジ留め固定することができる。
【００９０】
＝＝＝その他＝＝＝
上記の実施形態は、本発明の理解を容易にするためのものであり、本発明を限定して解釈するためのものではない。本発明は、その趣旨を逸脱することなく、変更・改良され得ると共に、本発明には、その等価物が含まれることは言うまでもない。
【符号の説明】
【００９１】
１  ミドルプレーン、１Ａ  位置決め穴、
２  プリントボード、
３  受け側光コネクタ、
４  光コネクタ本体、
５  取付部材、５Ａ  位置決めピン、
６  弾性部材、６Ｙ  Ｙ方向弾性部材、６Ｘ  Ｘ方向弾性部材、
７  可動側光コネクタ、
１０  受け側ハウジング、
１１  外側ハウジング、
１１３  前側開口部、１１４  シャッター、１１６  側面開口部、
１２  内側ハウジング、１２１  モジュール装着部、
１３  受け側接続機構、
２０  可動側ハウジング、２１  外側ハウジング、
２１５  後側開口部、２１６  側面開口部、
２２  内側ハウジング、２２１  モジュール装着部、
２２２  挿入部、２２２Ａ  突起、２２３  腕部、
２３  可動側接続機構、
５０  光モジュール、５１  フェルール、
５２  ピンクランプ、５３  スプリング、５４  スプリングプッシュ、
１００  光コネクタシステム
【図１】
0006314163.tif 000002
【図２】
0006314163.tif 000003
【図３】
0006314163.tif 000004
【図４】
0006314163.tif 000005
【図５】
0006314163.tif 000006
【図６】
0006314163.tif 000007
【図７】
0006314163.tif 000008
【図８】
0006314163.tif 000009
【図９】
0006314163.tif 000010
【図１０】
0006314163.tif 000011
【図１１】
0006314163.tif 000012